(57)【要約】【課題】簡単な構造によりレンズ鏡筒内に塵埃及び水滴等が進入するのを防止した小型のレンズ鏡筒及びこれを有するカメラを提供する。【解決手段】撮影光学系の光路が形成された内向フランジ部３１を有する第１の枠３０と、一対の押圧部４０ｄを有し、第１の枠３０に対し、光軸方向に相対移動する第２の枠４０と、内向フランジ部３１に配され、一対の押圧部４０ｄが当接することにより回動する一対のバリア駆動部材５０と、バリア駆動部材５０に配され、バリア駆動部材５０の回動に伴って撮影光学系の光路を遮断する閉位置と上記光路から退避する開位置とに移動する一対のバリア羽根７０と、バリア駆動部材５０に配され、バリア羽根７０を上記開位置に向けて付勢可能である開き付勢部材１１０と、内向フランジ部３１に配され、バリア羽根７０を上記閉位置に向けて付勢可能である一対の閉じ付勢部材１２０と、を具備したことを特徴とする。【選択図】図２
2005173166.tif 000002
【特許請求の範囲】
【請求項１】
撮影光学系を有し、中央部に上記撮影光学系の光路となる開口が形成された内向フランジ部を有する第１の枠と、
上記第１の枠内に配され、上記撮影光学系の光軸方向先端に一対の押圧部を有し、上記第１の枠に対し、第１の位置と第２の位置との間において光軸方向に相対移動する第２の枠と、
上記内向フランジ部の上記開口の周部に上記光軸を中心に点対称に配され、上記一対の押圧部が当接することにより上記光軸に平行な軸を中心として回動する一対のバリア駆動部材と、
上記バリア駆動部材の上記光軸方向先端に配され、上記バリア駆動部材の回動に伴って上記撮影光学系の光路の少なくとも一部を遮断する閉位置と上記光路から退避する開位置との間において移動する一対のバリア羽根と、
上記バリア駆動部材に配され、上記バリア羽根を上記開位置に向けて付勢可能であるとともに、上記バリア駆動部材を一の方向に向けて付勢する一対の開き付勢部材と、
上記内向フランジ部の上記開口の周部に配され、上記バリア羽根を上記閉位置に向けて付勢可能である一対の閉じ付勢部材と、
を具備し、
上記押圧部が上記バリア駆動部材に当接するに従い、上記バリア駆動部材は、上記開き付勢部材の付勢力に抗して上記一の方向とは反対の他の方向に回動し、かつ上記バリア羽根は、上記閉じ付勢部材の付勢力により上記開位置から上記閉位置へと移動し、
上記押圧部が上記バリア駆動部材から離間するに従い、上記バリア駆動部材は、上記開き付勢部材の付勢力により、上記一の方向に回動し、また上記バリア羽根は、上記閉じ付勢部材の付勢力に抗して上記閉位置から上記開位置へと移動することを特徴とするレンズ鏡筒。
【請求項２】
上記押圧部は、上記第１の位置において上記バリア駆動部材に当接し、上記第２の位置において上記バリア駆動部材から離間することを特徴とする請求項１に記載のレンズ鏡筒。
【請求項３】
上記第２の枠は、外周に光軸方向に沿って形成された案内部を有し、また上記第１の枠は、上記案内部が係合することにより、上記第２の枠に対する上記第１の枠の光軸周りの回動を規制する回転止め部をさらに有することを特徴とする請求項１に記載のレンズ鏡筒。
【請求項４】
上記第２の枠の光軸方向の移動を規制するスラスト位置規制部を有する第３の枠と、
上記スラスト位置規制部と係合する上記第２の枠に設けられた係合部と、
をさらに有することを特徴とする請求項１または請求項３に記載のレンズ鏡筒。
【請求項５】
上記バリア駆動部材と上記第１の枠との間を水密に保つための防水部材をさらに有することを特徴とする請求項１乃至請求項４に記載のレンズ鏡筒。
【請求項６】
上記バリア駆動部材は、上記バリア羽根が有する軸孔部が係合し、上記バリア羽根の回動軸となるバリア軸部を有し、
また、上記開き付勢部材はトーションバネであって、
上記バリア軸部の軸部には、上記トーションバネが挿入されることを特徴とする請求項１に記載のレンズ鏡笥。
【請求項７】
上記一対のバリア羽根の開閉に連動して開閉する他の一対のバリア羽根を有することを特徴とする請求項１に記載のレンズ鏡筒。
【請求項８】
請求項１から請求項７のいずれかのレンズ鏡筒を有することを特徴とするカメラ。
【発明の詳細な説明】
【技術分野】
【０００１】
本発明は、レンズ鏡筒及びカメラ、詳しくは撮影レンズの前面を覆う閉位置とそれらが露呈される開位置とに移動するバリア機構を有するレンズ鏡筒及びカメラに関する。
【背景技術】
【０００２】
撮影レンズ鏡筒（以下、レンズ鏡筒と称す）の前面内部に配設され、非撮影時には、例えば２枚の羽根の組み合わせにより撮影レンズの前面を覆う閉位置に移動して撮影レンズを保護し、撮影時には、２枚の羽根が撮影レンズの前面から退避する開位置に移動して撮影レンズに光束を導くバリア羽根が周知である。このようなバリア羽根の開閉駆動機構は、種々提案されている。
【０００３】
例えば特許文献１には、光軸を中心にして回動する円環状のバリア開閉リングをレンズ鏡筒の先端部に配設し、このバリア開閉リングを光軸周りに回動させることにより、バリア羽根の開閉を行う機構が開示されている。
【０００４】
詳しくは、レンズ鏡筒を有するカメラ本体の内部には、レンズ鏡筒がカメラ本体内に沈胴した際には、先端にカム面を有するカム板がレンズ鏡筒内に延出するよう固定されており、またバリア開閉リングには、レンズ鏡筒の内部に延出する腕部が形成されている。このように構成されたバリア開閉機構では、レンズ鏡筒がカメラ本体内に沈胴した際、腕部の先端が、カム板と係合することにより、バリア開閉リングが光軸周りに回動され、バリア羽根が閉じる機構となっている。
【０００５】
また、特許文献２には、バリア羽根の開閉を行う光軸を中心にして回動する円環状のバリア駆動リングをレンズ鏡筒の先端部に配設し、このバリア駆動リングを、例えばモータ駆動機構により光軸周りに回動させることにより、バリア羽根の開閉を行う機構が開示されている。
【０００６】
詳しくは、レンズ鏡筒の先端部には、バリア駆動リングと、一端がレンズ鏡筒内に延出したバリア駆動ギアとが配設され、またレンズ鏡筒の内部には、モータ駆動機構が配設されている。このように構成されたバリア開閉機構では、モータ駆動機構とバリア駆動ギアとがギア連結されるとともに、バリア駆動リングとバリア駆動ギアとがギア連結されることにより、バリア駆動リンクが回動されバリア羽根の開閉を行う機構となっている。
【特許文献１】特開平７−１５９８５５号公報
【特許文献２】特開平７−２０３６９号公報
【発明の開示】
【発明が解決しようとする課題】
【０００７】
しかしながら、特許文献１に開示されたバリア開閉機構では、バリア開閉リングには、レンズ鏡筒の内部に延出する腕部が形成されているため、レンズ鏡筒の内部においても、腕部の移動スーペースを確保する必要があり、レンズ鏡筒が大型化してしまうといった問題がある。
【０００８】
また、レンズ鏡筒の先端部に、腕部を挿通させるための孔を設ける必要があり、この孔部からレンズ鏡筒の内部に塵埃等が侵入する虞があるため、レンズ鏡筒を、例えば防水、防滴構造とすることが困難である。
【０００９】
さらに、特許文献２に開示されたバリア開閉機構では、ギア連結にてバリア駆動リングを回動させているため、ギア連結部に塵埃などが挟まると、作動不良を起こす虞がある。また、バリア羽根を開閉させるためのギア列をレンズ鏡筒内の先端部まで配設する必要があるので、レンズ鏡筒が大型化してしまう。
【００１０】
加えて、特許文献１及び特許文献２に開示されたバリア開閉機構では、レンズ鏡筒の先端部に、光軸を中心として回動するバリア駆動リング，バリア開閉リング等の円環状の部材を配設する必要があるため、バリア羽根と円環状の部材とが干渉しないように配置すると、レンズ鏡筒が大型化してしまうといった問題がある、
本発明は上記問題点及び事情に鑑みてなされたものであり、簡単な構造により小型のレンズ鏡筒及びこれを有するカメラを提供することを目的とする。
【００１１】
また、簡単な構造でレンズ鏡筒内に塵埃や水滴等が侵入するのを防止することが可能なレンズ鏡筒及びこれを有するカメラを提供することを目的とする。
【課題を解決するための手段】
【００１２】
上記目的を達成するために本発明によるレンズ鏡筒及びこれを有するカメラは、撮影光学系を有し、中央部に上記撮影光学系の光路となる開口が形成された内向フランジ部を有する第１の枠と、上記第１の枠内に配され、上記撮影光学系の光軸方向先端に一対の押圧部を有し、上記第１の枠に対し、第１の位置と第２の位置との間において光軸方向に相対移動する第２の枠と、上記内向フランジ部の上記開口の周部に上記光軸を中心に点対称に配され、上記一対の押圧部が当接することにより上記光軸に平行な軸を中心として回動する一対のバリア駆動部材と、上記バリア駆動部材の上記光軸方向先端に配され、上記バリア駆動部材の回動に伴って上記撮影光学系の光路の少なくとも一部を遮断する閉位置と上記光路から退避する開位置との間において移動する一対のバリア羽根と、上記バリア駆動部材に配され、上記バリア羽根を上記開位置に向けて付勢可能であるとともに、上記バリア駆動部材を一の方向に向けて付勢する一対の開き付勢部材と、上記内向フランジ部の上記開口の周部に配され、上記バリア羽根を上記閉位置に向けて付勢可能である一対の閉じ付勢部材と、を具備し、上記押圧部が上記バリア駆動部材に当接するに従い、上記バリア駆動部材は、上記開き付勢部材の付勢力に抗して上記一の方向とは反対の他の方向に回動し、かつ上記バリア羽根は、上記閉じ付勢部材の付勢力により上記開位置から上記閉位置へと移動し、上記押圧部が上記バリア駆動部材から離間するに従い、上記バリア駆動部材は、上記開き付勢部材の付勢力により、上記一の方向に回動し、また上記バリア羽根は、上記閉じ付勢部材の付勢力に抗して上記閉位置から上記開位置へと移動することを特徴とする。
【００１３】
また、上記押圧部は、上記第１の位置において上記バリア駆動部材に当接し、上記第２の位置において上記バリア駆動部材から離間することを特徴とし、さらに、上記第２の枠は、外周に光軸方向に沿って形成された案内部を有し、また上記第１の枠は、上記案内部が係合することにより、上記第２の枠に対する上記第１の枠の光軸周りの回動を規制する回転止め部をさらに有することを特徴とし、また、上記第２の枠の光軸方向の移動を規制するスラスト位置規制部を有する第３の枠と、上記スラスト位置規制部と係合する上記第２の枠に設けられた係合部と、をさらに有することを特徴とし、さらに、上記バリア駆動部材と上記第１の枠との間を水密に保つための防水部材をさらに有することを特徴とし、また、上記バリア駆動部材は、上記バリア羽根が有する軸孔部が係合し、上記バリア羽根の回動軸となるバリア軸部を有し、また、上記開き付勢部材はトーションバネであって、上記バリア軸部の軸部には、上記トーションバネが挿入されることを特徴とし、さらに、上記一対のバリア羽根の開閉に連動して開閉する他の一対のバリア羽根を有することを特徴とする。
【００１４】
本発明によるカメラは、上記に記載のレンズ鏡筒を有する。
【発明の効果】
【００１５】
本発明のレンズ鏡筒及びこれを有するカメラは、簡単な構造により小型のレンズ鏡筒及びこれを有するカメラを提供することができる。
【００１６】
また、簡単な構造でレンズ鏡筒内に塵埃や水滴等が侵入するのを防止することが可能なレンズ鏡筒及びこれを有するカメラを提供することができる。
【発明を実施するための最良の形態】
【００１７】
以下、図面を参照して本発明の実施の形態を説明する。  
（第１の実施の形態）
図１は、本発明の一実施の形態を示すレンズ鏡筒の沈胴位置を示した断面図、図２は、図１中のレンズ鏡筒のフロートキー及び直進枠の分解斜視図である。  
図１に示すように、レンズ鏡筒１は、図示しないカメラ本体に基端部が固定された固定枠１０と、該固定枠１０の内側に回動自在に嵌入された第３の枠である回転枠２０と、該回転枠２０の内側に嵌入され、第１の位置である沈胴位置と第２の位置である撮影位置との間を光軸方向に進退移動する第１の枠である直進枠３０と、該直進枠３０の内側に嵌入され、直進枠３０の光軸方向の進退移動を直進ガイドする第２の枠であるフロートキー４０と、直進枠３０の光軸方向先端寄りであって、直進枠３０の内側に嵌入され、撮影光学系の一部である１群レンズ６１を保持する１群枠６０とを、有して主要部が構成されている。なお、図の猥雑さを避けるため、撮影光学系を構成する第２群レンズ、第３群レンズ及びフォーカス、シャッタ機構については省略している。
【００１８】
固定枠１０の内周面には、円周方向に沿って等間隔に位置する、例えば３本の直進溝１０ａが光軸方向に沿って形成され、雌ヘリコイドねじ１０ｂが固定枠１０の内周面に螺旋状に形成されている。また、固定枠１０の内周面の先端には、固定枠１０の内側に回転枠２０が嵌入された際、固定枠１０と回転枠２０との間に配設され一端が回転枠２０の外周面に当接する遮光部材１１の他端が固定されている。
【００１９】
また、固定枠１０の外周面には、図示しない回転枠２０を回動駆動させるための、モータ駆動源が配設されている。
【００２０】
回転枠２０の外周面の後端部には、固定枠１０の雌ヘリコイドねじ１０ｂと螺合する雄ヘリコイドねじ２０ａが形成されている。なお、雄ヘリコイドねじ２０ｂの一部には、平歯ギアが重畳して形成されており、この平歯ギアは、固定枠１０に配設されたモータ駆動源の図示しないギアと螺合している。
【００２１】
よって、回転枠２０は、雌ヘリコイドねじ１０ｂと雄ヘリコイドねじ２０ａとの螺合により、固定枠１０の内側において回動自在に嵌入されている。従って、雄ヘリコイドねじ２０ａが上記モータ駆動源により回動駆動されることにより、回転枠２０は、固定枠１０に対し回動しながら光軸方向に進退移動する。
【００２２】
また、回転枠２０の内周面には、雌ヘリコイドねじ２０ｂが形成されており、回転枠２０の内周面の後端部寄りには、円周方向に沿った円周溝２０ｃが形成されている。
【００２３】
さらに、回転枠２０の内周面の先端には、回転枠２０の内側に直進枠３０が嵌入された際、回転枠２０と直進枠３０との間に配設され一端が直進枠３０の外周面に当接する遮光部材２１の他端が固定されている。また、回転枠２０の内周面には、ズームレンズとなる撮影光学系の一部である図示しない２群レンズ及び３群レンズを保持する枠を光軸方向に進退駆動するための図示しない例えばカム溝が形成されている。
【００２４】
直進枠３０の外周面の後端部には、回転枠２０の雌ヘリコイドねじ２０ｂと螺合する雄ヘリコイドねじ３０ａが形成されている。よって、直進枠３０は、雌ヘリコイドねじ２０ｂと雄ヘリコイドねじ３０ａとが螺合することにより、回転枠２０に対して回転枠２０の内側ににおいて回動自在に嵌入される。
【００２５】
直進枠３０の内側の先端寄りには、中央部に１群レンズ６１及び図示しない２群レンズ，３群レンズの光路となる開口３０Ｂが形成された内向フランジ部３１が図２に示すように形成されている。
【００２６】
内向フランジ部３１には、開口３０Ｂの周部に光軸Ｏを中心として点対称に一対のバリア軸孔３７が穿設されている。また、内向フランジ部３１の光軸方向前方側の面（以下、先端面と称す）３１Ａ上であって、バリア軸孔３７の周部近傍には、光軸方向前方に突出するよう円柱状の一対の開きバネかけ部３４が光軸Ｏを中心として点対称に形成されている。
【００２７】
また、内向フランジ部３１の先端面３１Ａ上であって、開きバネかけ部３４の光軸Ｏから離間する方向には、光軸Ｏを中心として点対称に一対のビス孔３３が直進枠３１の内周面と当接して形成されている。
【００２８】
さらに、内向フランジ部３１の先端面３１Ａ上であって、ビス孔３３の近傍には、光軸Ｏを中心として点対称に光軸方向前方に突出する一対の係合凸部３２の基端部が直進枠３１の内周面と当接して形成されている。尚、係合凸部３２の先端面は、直進枠３０の外周に形成された先端面３０Ａと光軸方向前方に同じ高さとなるよう形成されている。
【００２９】
また、内向フランジ部３１の先端面３１Ａ上であって、内向フランジ部３１の開口３０Ｂの外周縁には、前方に突出する円周状の縁部３１ｄが形成されている。また、内向フランジ部３１の先端面３１Ａ上であって、縁部３１ｄと、直進枠３１の内周面との間には、縁部３１ｄと、直進枠３１の内周面とを連結する、縁部３１ｄから放射状に延出した４本のレール部３１ｂが形成されている。
【００３０】
４本のレール部３１ｂは、部分円弧状を有していて内向フランジ部３１の先端面３１Ａから前方に突出しており、光軸Ｏを中心として１組が点対称となる位置に形成されている。尚、４本のレール部３１ｂと縁部３１ｄとは、一体に形成されており、光軸方向前方に対して同じ高さとなるよう形成されている。
【００３１】
また、内向フランジ部３１の先端面３１Ａ上であって、バリア軸孔３７と、１本のレール部３１ｂと、縁部３１ｄと直進枠３０の内周面とによって囲まれた領域には、部分円弧状を有する一対の嵌入溝３１ｃが光軸Ｏを中心として点対称となる位置に形成されている。
【００３２】
尚、それぞれ一対の、バリア軸孔３７，開きバネかけ部３４，ビス孔３３，係合凸部３２及び嵌入溝３１ｃは、光軸Ｏを中心として非対称な位置に形成された２本のレール部３１ｂと、縁部３１ｄと直進枠３１の内周面とによって囲まれた領域に形成されている。
【００３３】
さらに、内向フランジ部３１の先端面３１Ａ上であって、それぞれ一対のバリア軸孔３７，開きバネかけ部３４，ビス孔３３，係合凸部３２，嵌入溝３１ｃを囲う２本のレール部３１ｂの内、一方のレール部３１ｂと、他方のレール部３１ｂと光軸Ｏに対して点対称となる位置に形成されたレール部３１ｂと、によって囲まれた領域には、光軸方向前方に突出した断面が小判状の突出部である一対の閉じバネかけ部３６及び該閉じバネかけ部３６の近傍に位置する光軸方向前方に突出した略円柱状を有する一対の閉じバネ軸３５が、光軸Ｏに対して点対称に形成されている。
【００３４】
また、直進枠３０の内周面の内向フランジ部３１よりも光軸方向後方には、光軸方向に沿って、回転止め部である凸状の直進キー３０ｂが、例えば５本形成されている。なお、この５本のうち、２本の直進キー３０ｂは、直進枠３０の円周方向でバリア軸孔３７の近傍に配される。
【００３５】
直進枠３０の内側には、５本の直線キー３０ｂに後述する直線溝４０ｃ及び直線溝４０ｅが摺動自在に嵌入されることにより、フロートキー４０が光軸方向に進退するようスライド嵌入される。なお、フロートキー４０に凸状の直進キーを設け、直進枠３０に直進溝を形成して両者が係合するようにしても良い。
【００３６】
フロートキー４０の外周面の後端には、円周方向に沿って等間隔に位置する、例えば３つの直進キー４０ａが、光軸Ｏから離間する方向に突出して形成されている。さらに、３つの直進キー４０ａは、図１に示すように、固定枠１０の内周面に形成された３本の直進溝１０ａに嵌入する。よって、フロートキー４０は、直進キー４０ａにより固定枠１０に対して光軸方向にのみ進退する。
【００３７】
また、フロートキー４０の外周面であって、直進キー４０ａの光軸方向前側近傍には、円周方向に沿って等間隔に位置する、係合部である例えば３つのバヨネット爪４０ｂが、光軸Ｏから離間する方向に突出して形成されている。
【００３８】
さらに、３つのバヨネット爪４０ｂの内、２つのバヨネット爪４０ｂの近傍には、光軸Ｏを中心に点対称に位置する、例えば２つの係合部であるバヨネット爪４０ｆが、光軸Ｏから離間する方向に突出して形成されている。
【００３９】
尚、バヨネット爪４０ｂ及びバヨネット爪４０ｆは、その突出高さが、直進キー４０ａの突出高さよりも低く形成されている。尚、このバヨネット爪４０ｆは、後述するが、直進枠３０がフロートキー４０に沈胴する際、光軸方向の力を受けるためのものである。
【００４０】
３つのバヨネット爪４０ｂ及び２つのバヨネット爪４０ｆは、図１に示すように、回転枠２０の内周面に形成された円周溝２０ｃに嵌入する。よって、フロートキー４０は、円周溝２０ｃにより回転枠２０に対して光軸方向の移動が規制される。即ち、フロートキー４０と回転枠２０とは、円周溝２０ｃにより光軸方向に一体的に進退する。
【００４１】
このことから、回転枠２０の円周溝２０ｃは、本発明におけるスラスト位置規制部を構成している。また、回転枠２０は、フロートキー４０に対して光軸を中心として回動自在となる。
【００４２】
フロートキー４０の光軸方向先端の円周には、光軸方向後方に凹んだ形状を有する光軸Ｏに対して点対称な一対の切り欠き４０ｇが形成されており、一対の切り欠き４０ｇには、光軸方向前方に突出する、例えば３角柱形状を有する一対の押圧部４０ｄが、光軸Ｏに対して点対称となる位置に形成されている。尚、一対の押圧部４０ｄには、光軸Ｏに対して傾斜した方向に押圧面４０ｄ１が形成されている。
【００４３】
さらに、フロートキー４０の外周面には、光軸方向先端から３つのバヨネット爪４０ｂの光軸方向前側近傍まで、光軸方向に沿って、例えば３本の案内部である直進溝４０ｃが形成されている。３本の直進溝４０ｃには、直進枠３０の内周面に形成された５本の直進キー３０ｂの内、３本の直進キー３０ｂがスライド嵌入する。
【００４４】
また、フロートキー４０の外周面には、一対の押圧部４０ｄの基端部の近傍であって、切り欠き４０ｇの先端から２つのバヨネット爪４０ｆの光軸方向前側近傍まで、光軸方向に沿って、案内部である、例えば２本の直進溝４０ｅが形成されている。
【００４５】
つまり、それぞれ５個設けられているバヨネット爪及び直進溝のうち、それぞれ２つのバヨネット爪４０ｆ、直進溝４０ｅは、フロートキー４０の円周方向の位置で一対の押圧部４０ｄの配置されている位置の近傍に配されている。
【００４６】
２本の直進溝４０ｅには、直進枠３０の内周面に形成された５本の直進キー３０ｂの内、２本の直進キー３０ｂがスライド嵌入する。尚、この直進溝４０ｅは、後述するが、直進枠３０がフロートキー４０に沈胴する際、光軸方向の力を受けるための補助となるものである。
【００４７】
このことから、５本の直線キー３０ｂに３本の直線溝４０ｃ及び２本の直線溝４０ｅが摺動自在に嵌入されることにより、フロートキー４０は、直進枠３０の内側に光軸方向に進退するようスライド嵌入される。
【００４８】
よって、直進枠３０は、雄ヘリコイドねじ３０ａと回転枠２０の雌ヘリコイドねじ２０ｂとが螺合して、回転枠２０により回動を受けたとしても、直進溝４０ｃ及び直進溝４０ｅによりフロートキー４０に対して光軸方向にのみ進退するようになっている。
【００４９】
以上から、レンズ鏡筒１は、回転枠２０が上記モータ駆動源により回動されると、回転枠２０及びフロートキー４０は固定枠１０に対して光軸方向に進退し、直進枠３０も回転枠２０の回動を受け、フロートキー４０により光軸方向に進退するようになっている。
【００５０】
直進枠３０の内向フランジ部３１に形成された一対のバリア軸孔３７には、一対のバリア駆動部材５０の一部が、光軸に平行な軸を中心として回動自在に嵌入されている。詳しくは、バリア駆動部材５０は、軸部５０ｂと該軸部の光軸方向前部に形成されたバネ受け部５１とにより、主要部が構成されている。
【００５１】
軸部５０ｂは、中央が中空の円筒状に形成されており、軸部５０ｂの円筒状の壁部の光軸方向の端部には、光軸方向に対して傾斜した方向にカム面が形成されている。
【００５２】
カム面５０ｃは、直進枠３０が沈胴した際、フロートキー４０の押圧部４０ｄの押圧面４０ｄ１と当接する。このことにより、バリア駆動部材５０は、後述する、第１のバリア羽根７０及び第２のバリア羽根８０の閉方向状態に対応する位置に向かう方向である円周方向の一の方向とは反対の他の方向に回動する。
【００５３】
また、軸部５０ｂの外径は、バリア軸孔３７の内径と略一致するように形成されている。さらに、軸部５０ｂの外周面のバネ受け部５１側には、防水部材であるＯリング５５が嵌入するOリング用溝５０ｄが外周に沿って形成されている。
【００５４】
軸部５０ｂの光軸方向の先端の面には、軸部５０ｂの径よりも大きな径の円形状の底面を有する山の字状のバネ受け部５１が形成されている。バネ受け部５１の底面の光軸方向反対側の面であって、軸部５０ｂが形成されていない面は、内向フランジ部３１の先端面３１Ａに当接している。
【００５５】
このことから、バリア軸孔３７には、軸部５０ｂのみが回動自在に嵌入している。この状態で、Ｏリング５５は、バリア軸孔３７にその外周が当接して弾性変形した状態となる。よって、バリア軸孔３７の内周面と軸部５０ｂの外周面とは、Oリング５５により水密に保たれていることから、直進枠３０の内部に塵埃及び水滴等が混入することがない。
【００５６】
バネ受け部５１は、該バネ受け部５１の底面の中央に、光軸方向前方に突出するよう形成されたバリア軸５０ａと、バネ受け部５１の底面の外周に、バリア軸５０ａよりも低く光軸方向前方に突出するよう形成された円形の壁であるバネガイド５０ｇとから構成されている。バリア軸５０ａは、後述する第１のバリア羽根７０及び第２のバリア羽根８０の回動軸となるものである。
【００５７】
バネガイド５０ｇには、切り欠きである可動腕挿通部５０ｅと、該可動腕挿通部５０ｅよりも大きな切り欠きである固定腕挿通部５０ｈとが、光軸方向に平行に形成されている。また、可動腕挿通部５０ｅの光軸に平行な一端面は、バネ押圧部５０ｆとなっている。
【００５８】
さらに、バネガイド５０ｇの内周面とバネ受け部５１の底面とは、後述するバリア開きバネ１１０が収容されるバネ収容部５０ｉを形成している。詳しくは、一対のバネ収容部５０ｉには、開き付勢部材である一対のバリア開きバネ１１０の一部が収容されている。
【００５９】
さらに詳しくは、バリア開きバネ１１０は、例えば本実施の形態ではトーションバネであり、支持部１１０ａと固定腕１１０ｂと可動腕１１０ｃとにより構成されている。支持部１１０ａは、バリア駆動部材５０のバリア軸５０ａに挿入されており、支持部１１０ａは、バネ収容部５０ｉに戴置されている。
【００６０】
バリア開きバネ１１０の固定腕１１０ｂの腕部は、バリア駆動部材５０の固定腕挿通部５０ｈに挿通されており、可動腕１１０ｃの腕部は、バリア駆動部材５０の可動腕挿通部５０ｅに挿通されている。
【００６１】
また、固定腕１１０ｂの腕部の先端は、直進枠３０の内向フランジ部３１の先端面に形成された開きバネかけ部３４と、ビス孔３３が形成されているボスとの間に係止されており、また可動腕１１０ｃの腕部の中央は、バリア駆動部材５０のバネガイド５０ｇのバネ押圧部５０ｆに係止されている。
【００６２】
よって、バリア開きバネ１１０の可動腕１１０ｃは、バリア駆動部材５０のバネ押圧部５０ｆを円周方向の一の方向に向けて常時付勢している。即ち、バリア開きバネ１１０は、バリア駆動部材５０を、後述する第１のバリア羽根７０及び第２のバリア羽根８０の開方向状態に対応する位置に向かう方向である円周方向の一の方向に向けて常時付勢している。さらに可動腕１１０ｃの腕部の先端は、後述する第１のバリアはね７０の開きバネかけ７０ｃに係止されている。
【００６３】
直進枠３０の内向フランジ部３１の先端面３１Ａに形成された一対の閉じバネ軸３５には、一対の閉じ付勢部材であるバリア閉じバネ１２０が挿入されている。なお、本実施の形態ではバリア閉じバネ１２０はトーションバネである。
【００６４】
詳しくは、バリア閉じバネ１２０は、支持部１２０ａと固定腕１２０ｂと可動腕１２０ｃとにより構成されている。支持部１２０ａは、内向フランジ部３１の閉じバネ軸３５に挿入されている。
【００６５】
バリア閉じバネ１２０の固定腕１２０ｂの腕部は、直進枠３０の内向フランジ部３１の先端面３１Ａに形成された閉じバネかけ部３６に係止されており、バリア閉じバネ１２０の可動腕１２０ｃの腕部は、後述する第１のバリアはね７０の閉じバネかけ７０ｆに係止されている。
【００６６】
直進枠３０の内向フランジ部３１の先端面３１Ａには、開口３０Ｂに対して開閉移動する、詳しくは撮影光学系である１群レンズ，２群レンズ及び３群レンズの光路の少なくとも一部を遮断する閉位置と上記光路から退避する開位置とに移動する一対の第１のバリア羽根７０が配設されている。なお、本実施の形態では、一対の第１のバリア羽根７０は、それぞれ撮影光学系の光路のうち、光軸付近の光路を遮断する。
【００６７】
詳しくは、一対の第１のバリア羽根７０は、部分円弧状を有する板状部材により形成されており、上記閉位置に移動した際、それぞれの第１のバリア羽根７０の光軸方向に直交する一方の面（以下、内周面と称す）７０ｇが互いに係合，密閉する形状に形成されている。
【００６８】
第１のバリア羽根７０の一端には、軸孔７０ａが形成されており、該軸孔７０ａは、バリア開きバネ１１０の支持部１１０ａが嵌入されているバリア駆動部材５０のバリア軸５０ａの先端側に挿入される。
【００６９】
この際、第１のバリア羽根７０は、上記開位置においては、バリア駆動部材５０のバネ収容部５０ｉ及びバネガイド５０ｇ、バリア開きバネ１１０、レール部３１ｂ、嵌入溝３１ｃ、閉じバネ軸３５、閉じバネかけ部３６、バリア閉じバネ１２０の光軸方向前方を覆うように、直進枠３０の内側であって、開口３０Ｂを遮蔽しない位置に配置される。よって、第１のバリア羽根７０は、バリア開きバネ１１０及びバリア閉じバネ１２０の支持部に塵埃等が混入するのを防止している。
【００７０】
さらに、上記開位置においては、第１のバリア羽根７０の光軸方向に直交する他方の面（以下、外周面と称す）７０ｈは、直進枠３０に形成された開き位置規制部である開き位置ストッパ３１ｄに当接している。
【００７１】
また、軸孔７０ａの近傍であって光軸方向前方側の面には、光軸方向前方に延出する羽根駆動ピン７０ｄが形成されている。
【００７２】
さらに、第１のバリア羽根７０の後述する第２のバリア羽根８０が配される側の面には、第１のバリア羽根７０の他端であって、第１のバリア羽根７０の外周面７０ｈ寄りに、後述する第２の羽根８０の回転中心付近及び先端のスラストを受けて、第２の羽根８０の光軸方向に対する傾きを防止するスラスト受け部７０ｅが形成されている。
【００７３】
なお、第１のバリア羽根７０の軸孔７０ａの周囲もスラスト受け部７０ｅと光軸方向で同じ高さだけ突出して形成されており、軸孔７０ａの周囲に形成される面にて、第２のバリア羽根８０の傾きを防止している。換言すれば、第２のバリア羽根８０は、第１のバリア羽根７０の軸孔７０ａの周辺部と、第１のバリア羽根７０の先端部に形成されたスラスト受け部７０ｅにて光軸方向の位置が規制されている。
【００７４】
また、第１のバリア羽根７０のバリア駆動部材５０が配される側の面には、羽根駆動ピン７０ｄの略反対側となる位置であって外周面７０ｈ寄りに、バリア開きバネ１１０の可動腕１１０ｃの腕部の先端が係止される円柱状の開きバネかけ７０ｃが、バリア駆動部材５０が配される側に突出するように形成されている。
【００７５】
尚、開きバネかけ７０ｃの先端は、直進枠３０の内向フランジ部３１の嵌入溝３１ｃに嵌入され、嵌入溝３１ｃをスライド移動するようになっている。このことから、第１のバリア羽根７０は、バリア開きバネ１１０により上記開位置に向けて付勢可能なようになっている。
【００７６】
さらに、第１のバリア羽根７０のフランジ部３１側の面であって、開きバネかけ７０ｃの他端方向近傍には、直進枠３０の内向フランジ部３１の先端面３１Ａに形成されたレール部３１ｂと当接，摺動し、第１のバリア羽根７０の光軸方向に対する傾きを防止するスラスト受け部７０ｂが、内周面７０ｇ側の端部と外周面７０ｈ側の端部とを連結するように部分円弧状を有してフランジ部３１側に突出するように形成されている。
【００７７】
また、第１のバリア羽根７０のバリア閉じバネ１２０が配される側の面であって、スラスト受け部７０ｂの他端方向近傍の内周面７０ｇ寄りには、第１のバリア羽根７０が上記閉位置に移動した際、バリア閉じバネ１２０の可動腕１２０ｃの腕部の先端が係止される円柱状の閉じバネかけ７０ｆが、バリア閉じバネ１２０が配される側に突出するように形成されている。このことから、第１のバリア羽根７０は、バリア閉じバネ１２０により、常時上記閉位置となるよう付勢されている。
【００７８】
一対の第１のバリア羽根７０の光軸方向前方には、一対の第２のバリア羽根８０が配設されている。詳しくは、一対の第２のバリア羽根８０は、部分円弧状を有する板状部材により形成されている。
【００７９】
第２のバリア羽根８０の一端には、軸孔８０ａが形成されており、該軸孔８０ａは、バリア開きバネ１１０の支持部１１０ａ，第１のバリア羽根７０の支持部７０ａが挿入されているバリア駆動部材５０のバリア軸５０ａの先端に挿入されている。
【００８０】
また、第２のバリア羽根８０の軸孔８０ａの他端方向近傍には、第２のバリア羽根８０の光軸方向に直交する一方の面（以下、内周面と称す）８０ｇと第２のバリア羽根８０の光軸方向に直交する他方の面（以下、外周面と称す）８０ｈとを連結する方向、即ち上記円周方向に長い長孔８０ｄが形成されている。尚、長孔８０ｄの外周面８０ｈ側は、第１の当接部８０ｄ１を構成しており、長孔８０ｄの内周面８０ｇ側は、第２の当接部８０ｄ２を構成している。
【００８１】
長孔８０ｄには、第１のバリア羽根７０の羽根駆動ピン７０ｄが嵌入されている。尚、この際、第２のバリア羽根８０が上記開位置においては、羽根駆動ピン７０ｄは、長孔８０ｄの第１の当接部８０ｄ１に当接している。
【００８２】
また、第２のバリア羽根８０は、後述するが、羽根駆動ピン７０ｄにより開閉される。即ち、第２のバリア羽根８０は、第１のバリア羽根７０の開閉移動に連動して、開閉移動する。
【００８３】
一対の第２のバリア羽根８０の光軸方向前方には、バリア飾り９０が配設されており、バリア飾り９０は、直進枠３０の内側の先端に配設されている。
【００８４】
詳しくは、バリア飾り９０は、開口９０Ｂを有する円板により形成されている。開口９０Ｂは、バリア飾り９０を直進枠３０に配設した際、内向フランジ部３１の開口３０Ｂの外周を覆うよう、４隅が大きく円形の長方形状を有している。
【００８５】
バリア飾り９０の開口９０Ｂの外周の近傍には、内向フランジ部３１の係合凸部３２に嵌入される光軸Ｏを中心として点対称な一対のボス孔９０ｂが形成されている。また、一対のボス孔９０ｂの近傍には、内向フランジ部３１のビス孔３３に対向する位置に配設される光軸Ｏを中心として点対称な一対の挿通孔９０ａが形成されている。
【００８６】
一対の挿通孔９０ａにビス９５が挿通され、ビス９５が内向フランジ部３１のビス孔３３に螺合させることにより、バリア飾り９０は、直進枠３０の内側の先端部に固定されている。
【００８７】
尚、バリア飾り９０の外周面９０ｈは、直進枠３０の内周面に当接、密着しており、さらに、バリア飾り９０の光軸方向前方の面は、直進枠３０の先端面３０Ａと光軸方向前方に同じ高さとなっている。
【００８８】
次に、このように構成されたレンズ鏡筒１の沈胴位置から撮影位置への移動、及び撮影位置から沈胴位置への移動を図１乃至図７を用いて説明する。  
図３は、図１のレンズ鏡筒をＩＩＩの方向から見たレンズ鏡筒の正面図、図４は、図１のレンズ鏡筒の撮影位置を示した断面図、図５は、図４のレンズ鏡筒をＶの方向から見たレンズ鏡筒の正面図、図６は、図１のレンズ鏡筒の第２のバリア羽根８０の閉じ始めの位置を示した断面図、図７は、図６のレンズ鏡筒をＶＩＩの方向から見たレンズ鏡筒の正面図である。
【００８９】
図１に示すように、レンズ鏡筒１が沈胴状態であるときは、固定枠１０の内側には、回転枠２０，直進枠３０及びフロートキー４０が沈胴している。よって、直進枠３０は、第１の位置である沈胴位置に位置している。
【００９０】
このとき、フロートキー４０の一対の押圧部４０ｄの押圧面４０ｄ１は、直進枠３０の内向フランジ部３１の一対のバリア軸孔３７に嵌入しているバリア駆動部材５０の軸部５０ｂのカム面５０ｃを光軸方向前方に当接している。
【００９１】
この状態においては、バリア駆動部材５０は、第１のバリア羽根７０及び第２のバリア羽根８０の閉方向状態に対応する位置に向かう方向である円周方向の一の方向とは反対の他の方向に回動されている。
【００９２】
また、内向フランジ部３１の一対の閉じバネ軸３５に一対の支持部１２０ａが挿入されているバリア閉じバネ１２０の可動腕１２０ｃの腕部は、図３に示すように、一対の第１のバリア羽根７０の閉じバネかけ７０ｆを、第１のバリア羽根７０が上記閉位置となるよう付勢している。
【００９３】
このことから、一対の第１のバリア羽根７０は、閉位置に回動している。即ち、一対の第１のバリア羽根７０の内周面７０ｇは、図３に示すように、互いに係合、密着し、１群レンズ，２群レンズ及び３群レンズの光路を遮断している。
【００９４】
また、一対の第２のバリア羽根８０は、該第２のバリア羽根８０の第２の当接部８０ｄ２を、第１のバリア羽根７０の羽根駆動ピン７０ｄが上記閉方向に当接して付勢することにより、図３に示す上記閉位置に移動しており、１群レンズ，２群レンズ及び３群レンズの光路を遮断している。
【００９５】
この状態で、第２のバリア羽根８０の先端部が、開きバネかけ部３４に当接している。つまり、開きバネかけ部３４は、第２のバリア羽根８０の閉位置の位置規制部として機能する。
【００９６】
この際、開きバネ１１０は、その可動腕１１０ｃがバリア駆動部材５０のバネ押圧部５０ｆに当接しており、第１のバリア羽根７０を上記開位置に移動させる付勢力が蓄えられている。
【００９７】
しかし、レンズ鏡筒１が沈胴した状態ではフロートキー４０の押圧部４０ｄの押圧面４０ｄ１がバリア駆動部材５０のカム面５０ｃに当接しているため、バリア駆動部材５０の回動が規制されている。従って、開きバネ１１０の付勢力は、第１のバリア羽根７０には伝達されておらず、バリア閉じバネ１２０の付勢力により、第１のバリア羽根７０は閉方向へと付勢されている。
【００９８】
このため、例えば第１のバリア羽根７０が閉位置において、意図的に指等により第１のバリア羽根７０が開位置に移動させられたとしても、指を第１のバリア羽根７０から放した途端、第１のバリア羽根７０は、閉位置に移動し、それに連動して第２のバリア羽根８０も閉位置に移動するようになっている。
【００９９】
固定枠１０の外周に配設された上記モータ駆動源が回動し、回転枠２０の雄ヘリコイドねじ２０ａが回動すると、上述したように、回転枠２０及びフロートキー４０は、光軸方向前方に進出、即ち突出する。
【０１００】
また、直進枠３０は、回転枠２０の回動を受け、フロートキー４０により該直進枠３０の内周面に形成された５本の直進キー３０ｂが、フロートキー４０の、３本の直進溝４０ｃ及び２本の直進溝４０ｅを光軸方向前方にスライド移動して光軸方向前方に突出する。
【０１０１】
このことから、レンズ鏡筒１は、図１に示す沈胴位置から図４に示す撮影位置に移動する。なお、図４は撮影位置のうち、テレ状態を示す図である。第１のバリア羽根７０、第２のバリア羽根８０は、撮影位置のうちレンズ鏡筒１がワイド状態となったときに開位置となり、さらに、レンズ鏡筒１がテレ状態となったときも開位置を維持している。
【０１０２】
レンズ鏡筒１を沈胴位置から撮影位置に移動させると、フロートキー４０の一対の押圧部４０ｄの押圧面４０ｄ１は、光軸方向前方に押圧しているバリア駆動部材５０の軸部５０ｂのカム面５０ｃから離間する。
【０１０３】
このことにより、バリア駆動部材５０のバネガイド５０ｇのバネ押圧部５０ｆに係止されている可動腕１１０ｃの腕部の中央は、バネ押圧部５０ｆを第１のバリア羽根７０及び第２のバリア羽根８０の開方向状態に対応する位置に向かう方向である円周方向の一の方向に付勢する。よって、バリア駆動部材５０は、第１のバリア羽根７０及び第２のバリア羽根８０の開方向状態に対応する位置に向かう方向である円周方向の一の方向に回転される。
【０１０４】
この際、第１のバリア羽根７０の開きバネかけ７０ｃに係合し、付勢力が蓄えられていたバリア開きバネ１１０の可動腕１１０ｃの腕部の先端は、図５に示すように、開きバネかけ７０ｃを第１のバリア羽根７０が上記開位置となるよう付勢する。
【０１０５】
このことから、一対の第１のバリア羽根７０は、開位置に移動する。即ち、一対の第１のバリア羽根７０の外周面７０ｈは、図５に示すように、直進枠３０の内周に設けられた開き位置ストッパ３１ｄに当接し、内周面７０ｇは、１群レンズ，２群レンズ及び３群レンズの光路から退避する。即ち、第１のバリア羽根７０は、１群レンズ，２群レンズ及び３群レンズの光路から退避する。
【０１０６】
尚、第１のバリア羽根７０が閉位置から開位置へ移動する際は、第１のバリア羽根７０のスラスト受け部７０ｂは、内向フランジ部３１のレール部３１ｂ上を摺動する。
【０１０７】
また、一対の第２のバリア羽根８０は、該第２のバリア羽根８０の第１の当接部８０ｄ１を、第１のバリア羽根７０の羽根駆動ピン７０ｄが上記開方向に当接して付勢することにより、図５に示す上記開位置に移動しており、１群レンズ，２群レンズ及び３群レンズの光路から退避する。
【０１０８】
この際、第２のバリア羽根８０は、上記開位置においては、第１のバリア羽根８０の外周面８０ｈは、直進枠３０の内周に設けられた開き位置ストッパ３１ｄに当接している。
【０１０９】
また、上記開位置においては、第１のバリア羽根７０の閉じバネかけ７０ｆに係合しているバリア閉じバネ１２０の可動腕１２０ｃの腕部には、第１のバリア羽根７０を上記閉位置に回動させる付勢力が蓄えられている。
【０１１０】
しかし、第１のバリア羽根７０の開位置においては、バリア開きバネ１１０の可動腕１１０ｃの開方向への付勢力は、バリア閉じバネ１２０の可動腕１２０ｃの閉方向への付勢力よりも大きい。
【０１１１】
このため、例えば第１のバリア羽根７０が開位置において、意図的に指等により第１のバリア羽根７０が閉位置に移動させられたとしても、指を第１のバリア羽根７０から放した途端、第１のバリア羽根７０は、開位置に移動し、それに連動して第２のバリア羽根８０も開位置に移動するようになっている。
【０１１２】
そして、レンズ鏡筒１を再度、撮影位置から沈胴位置に移動させる場合には、固定枠１０の外周に配設された上記モータ駆動源が、直進枠３０を沈胴位置から撮影位置に移動させたときとは逆の方向に回転する。これに伴って回転枠２０の雄ヘリコイドねじ２０ａが回転すると、上述したように、回転枠２０及びフロートキー４０は、光軸方向後方に退避、即ち沈胴する。
【０１１３】
この際、直進枠３０は、回転枠２０の回転を受け、直進枠３０の内周面に形成された５本の直進キー３０ｂが、フロートキー４０の、３本の直進溝４０ｃ及び２本の直進溝４０ｅを光軸方向後方にスライド移動することにより光軸方向後方に沈胴する。
【０１１４】
このことから、レンズ鏡筒１は、図４に示す撮影位置から図６に示す位置を経て、図１に示す沈胴位置に移動する。  
詳しくは、レンズ鏡筒１を撮影位置から沈胴位置に移動させると、光軸方向前方に突出している直進枠３０は、回転枠２０とともに固定枠１０の内側に沈胴する。この際、図６に示すように、フロートキー４０の一対の押圧部４０ｄの押圧面４０ｄ１は、バリア駆動部材５０の軸部５０ｂのカム面５０ｃを光軸方向前方に当接し、押圧し始める。そして、カム面５０ｃが押圧部４０ｄの押圧面４０ｄ１に押圧されることで、バリア駆動部材５０ｃは、バリア開きバネ１１０の付勢力に抗して回動する。
【０１１５】
このとき、内向フランジ部３１の一対の閉じバネ軸３５に一対の支持部１２０ａが挿入されているバリア閉じバネ１２０の可動腕１２０ｃの腕部は、一対の第１のバリア羽根７０の閉じバネかけ７０ｆを、第１のバリア羽根７０が上記閉位置となるよう付勢し始める。
【０１１６】
このことから、一対の第１のバリア羽根７０は、閉位置となる方向に移動し始める。即ち、一対の第１のバリア羽根７０は、内周面７０ｇが、図３に示すように、互いに係合、密着し、１群レンズ，２群レンズ及び３群レンズの光路を遮断するよう、上記閉位置に移動を始める。
【０１１７】
一対のバリア羽根７０が、図７に示す位置まで移動した際には、上記開位置において、一対の第２のバリア羽根８０の第１の当接部８０ｄ１に当接して付勢していた一対の第１のバリア羽根７０の羽根駆動ピン７０ｄは、一対の第２のバリア羽根８０の第２の当接部８０ｄ２に当接して付勢し始める。
【０１１８】
このことにより、一対の第２のバリア羽根８０は、閉位置となる方向に回動し始める。その後、レンズ鏡筒１は、図６に示す位置から、図１に示す沈胴位置に移動され、光軸方向前方に突出している直進枠３０は、回転枠２０とともに固定枠１０の内側に沈胴する。
【０１１９】
尚、第１のバリア羽根７０が開位置から閉位置へ移動する際にも、第１のバリア羽根７０のスラスト受け部７０ｂは、内向フランジ部３１のレール部３１ｂ上を摺動する。
【０１２０】
さらに、直進枠３０が、回転枠２０の回転を受け、フロートキー４０に対して沈胴する際、直進枠３０は、該直進枠３０の内周面に形成された５本の直進キー３０ｂが、フロートキー４０の、３本の直進溝４０ｃ及び２本の直進溝４０ｅを光軸方向後方にスライド移動することにより光軸方向後方に沈胴する。
【０１２１】
この際、バリア駆動部材５０を駆動するための負荷は、上記押圧部４０の押圧面４０ｄ１を介して、フロートキー４０を光軸周りに回動させる方向の力と、フロートキー４０を光軸方向に変位させる力として伝達される。
【０１２２】
しかし、押圧部４０ｄが形成された位置と光軸方向に沿って略同軸上に形成されたフロートキー４０のバヨネット爪４０ｂが光軸方向の力を受け、押圧部４０ｄが形成された位置と光軸方向に沿って略同軸上に形成された一対の直進溝４０ｅが、光軸周りの力を受ける補助となるため、フロートキー４０が変形することがない。
【０１２３】
つまり、バリア駆動部材５０を回動させるための負荷を、その負荷が加わる押圧部４０の近傍に配されたバヨネット爪４０ｂ、直進溝４０ｅで受けるため、フロートキー４０の変形を防ぐことができる。
【０１２４】
このように、本発明の一実施の形態においては、一対の第１のバリア羽根７０の開閉を、直進枠３０のバリア軸孔３７に回動自在の嵌入された一対のバリア駆動部材５０の軸部５０ｂのカム面５０ｃと、フロートキー４０の光軸方向先端の形成された一対の押圧部４０ｄの押圧面４０ｄ１との、当接，離間を用いて行った。
【０１２５】
また、第２のバリア羽根８０の開閉を、第１のバリア羽根７０の羽根駆動ピン７０ｄと第２のバリア羽根８０の長孔８０ｄとを用いて、第１のバリア羽根７０の開閉に連動して開閉を行うようにした。
【０１２６】
このことにより、簡単な構成により、第１のバリア羽根７０及び第２のバリア羽根８０の開閉を行うことができることから、レンズ鏡筒の先端部に、バリア羽根を開閉させるための種々の駆動機構を設ける必要がないため、レンズ鏡筒を小型化することができる。
【０１２７】
さらに、第１のバリア羽根７０の軸孔７０ａ及び第２のバリア羽根８０の軸孔８０ａは、バリア駆動部材５０のバリア軸５０ａに挿入されている。
【０１２８】
このことにより、第１のバリア羽根７０の軸孔７０ａ及び第２のバリア羽根８０の軸孔８０ａは、同軸上に配設されるため、第１のバリア羽根７０及び第２のバリア羽根８０の回動軸を別々に設ける必要がないので、レンズ鏡筒を小型化することができる。
【０１２９】
さらに、バリア駆動部材５０にバリア開きバネ１１０のためのバネ収容室５０ｉを設けており、バリア開きバネ１１０を第１のバリア羽根７０、第２のバリア羽根８０の回動軸上に配置しているため、バリア開きバネ１１０の配置スペースを別個に設ける必要がなく、レンズ鏡筒の小型化を図ることができる。
【０１３０】
さらに、バリア開きバネ１１０の周囲は、バネガイド５０ｇに略覆われており、さらに、第１のバリア羽根７０の軸孔７０ａの周囲が上記バネガイド５０ｇの端面に接するように配置されている。従って、バリア開きバネ１１０の特にコイル部分である支持部１１０ａはバネガイド５０ｇおよび第１のバリア羽根７０により覆われている。これにより、バリア開きバネ１１０の特にコイル部分である支持部１１０ａに塵埃などが侵入する虞がなく、安定した開閉動作が行われる。
【０１３１】
また、バリア軸孔３７の内周面には、バリア駆動部材５０の軸部５０ｂがＯリング５５を介して回動自在に嵌入している。よって、バリア軸孔３７の内周面と軸部５０ｂの外周面とは、Oリング５５により水密に保たれていることから、簡単な構造により直進枠３０の内部に塵埃及び水滴等が混入するのを防止することができる。
【０１３２】
つまり、レンズバリアを駆動するために光軸と平行な回動軸を有するバリア駆動部材を設け、バリア駆動部材５０の軸部５０ｂを内向フランジ部３１を介してレンズ鏡筒内部に配置させている。つまり、レンズバリアを駆動するための駆動力をレンズ鏡筒内部からレンズバリア側へ伝達するための機構部分を、光軸と平行な回動軸上に配置したことにより、簡単な構成で防水、防滴構造を得ることができる。
【０１３３】
また、バリア駆動部材５０に光軸周りに回動するような大型の駆動部材を配置する必要がないので、簡単な構成でレンズ鏡筒の小型化を図ることができる。
【０１３４】
なお、本実施の形態では、バリア駆動部材５０により開閉駆動される一対の第１のバリア羽根７０と、第１のバリア羽根７０に連動して開閉駆動される一対の第２のバリア羽根８０により、撮影光学系の光路を遮蔽しているが、これに限らず、バリア羽根の数を増減してもよい。
【図面の簡単な説明】
【０１３５】
【図１】本発明の一実施の形態を示すレンズ鏡筒の沈胴位置を示した断面図。
【図２】図１中のレンズ鏡筒のフロートキー及び直進枠の分解斜視図。
【図３】図１中のレンズ鏡筒をＩＩＩの方向から見たレンズ鏡筒の正面図。
【図４】図１中のレンズ鏡筒の撮影位置を示した断面図。
【図５】図４中のレンズ鏡筒をＶの方向から見たレンズ鏡筒の正面図。
【図６】図１中のレンズ鏡筒の第２のバリア羽根の閉じ始めの位置を示した断面図。
【図７】図６中のレンズ鏡筒をＶＩＩの方向から見たレンズ鏡筒の正面図。
【符号の説明】
【０１３６】
１…レンズ鏡筒
２０ｃ…円周溝（スラスト位置規制部）
２０…回転枠（第３の枠）
３０ｂ…直進キー（回転止め部）
３０…直進枠（第１の枠）
３０Ｂ…開口
３１…内向フランジ部
４０ｂ…バヨネット爪（係合部）
４０ｆ…バヨネット爪（係合部）
４０…フロートキー（第２の枠）
４０ｄ…押圧部
４０ｃ…直線溝（案内部）
５０ａ…バリア軸（バリア軸部）
５０…バリア駆動部材
５５…Ｏリング(防止部材)
６１…１群レンズ（撮影光学系）
７０…第１のバリア羽根（バリア羽根）
８０…第２のバリア羽根（他のバリア羽根）
１１０…バリア開きバネ（開き付勢部材）
１２０…バリア閉じバネ（閉じ付勢部材）
Ｏ…光軸
代理人    弁理士    伊藤  進
【図１】
2005173166.tif 000003
【図２】
2005173166.tif 000004
【図３】
2005173166.tif 000005
【図４】
2005173166.tif 000006
【図５】
2005173166.tif 000007
【図６】
2005173166.tif 000008
【図７】
2005173166.tif 000009
【手続補正書】
【提出日】平成16年10月28日(2004.10.28)
【手続補正１】
【補正対象書類名】明細書
【補正対象項目名】０００７
【補正方法】変更
【補正の内容】
【０００７】
しかしながら、特許文献１に開示されたバリア開閉機構では、バリア開閉リングには、レンズ鏡筒の内部に延出する腕部が形成されているため、レンズ鏡筒の内部においても、腕部の移動スペースを確保する必要があり、レンズ鏡筒が大型化してしまうといった問題がある。
【手続補正２】
【補正対象書類名】明細書
【補正対象項目名】００２０
【補正方法】変更
【補正の内容】
【００２０】
回転枠２０の外周面の後端部には、固定枠１０の雌ヘリコイドねじ１０ｂと螺合する雄ヘリコイドねじ２０ａが形成されている。なお、雄ヘリコイドねじ２０ａの一部には、平歯ギアが重畳して形成されており、この平歯ギアは、固定枠１０に配設されたモータ駆動源の図示しないギアと螺合している。
【手続補正３】
【補正対象書類名】明細書
【補正対象項目名】００２４
【補正方法】変更
【補正の内容】
【００２４】
直進枠３０の外周面の後端部には、回転枠２０の雌ヘリコイドねじ２０ｂと螺合する雄ヘリコイドねじ３０ａが形成されている。よって、直進枠３０は、雌ヘリコイドねじ２０ｂと雄ヘリコイドねじ３０ａとが螺合することにより、回転枠２０に対して回転枠２０の内側において回動自在に嵌入される。
【手続補正４】
【補正対象書類名】明細書
【補正対象項目名】００３５
【補正方法】変更
【補正の内容】
【００３５】
直進枠３０の内側には、５本の直進キー３０ｂに後述する直進溝４０ｃ及び直進溝４０ｅが摺動自在に嵌入されることにより、フロートキー４０が光軸方向に進退するようスライド嵌入される。なお、フロートキー４０に凸状の直進キーを設け、直進枠３０に直進溝を形成して両者が係合するようにしても良い。
【手続補正５】
【補正対象書類名】明細書
【補正対象項目名】００４６
【補正方法】変更
【補正の内容】
【００４６】
２本の直進溝４０ｅには、直進枠３０の内周面に形成された５本の直進キー３０ｂの内、２本の直進キー３０ｂがスライド嵌入する。尚、この直進溝４０ｅは、後述するが、直進枠３０がフロートキー４０に沈胴する際、光軸周りの方向の力を受けるための補助となるものである。
【手続補正６】
【補正対象書類名】明細書
【補正対象項目名】００４７
【補正方法】変更
【補正の内容】
【００４７】
このことから、５本の直進キー３０ｂに３本の直進溝４０ｃ及び２本の直進溝４０ｅが摺動自在に嵌入されることにより、フロートキー４０は、直進枠３０の内側に光軸方向に進退するようスライド嵌入される。
【手続補正７】
【補正対象書類名】明細書
【補正対象項目名】００５６
【補正方法】変更
【補正の内容】
【００５６】
バネ受け部５１は、該バネ受け部５１の底面の中央に、光軸方向前方に突出するよう形成されたバリア軸５０ａと、バネ受け部５１の底面の外周に、バリア軸５０ａよりも低く光軸方向前方に突出するよう形成された円弧状の壁であるバネガイド５０ｇとから構成されている。バリア軸５０ａは、後述する第１のバリア羽根７０及び第２のバリア羽根８０の回動軸となるものである。
【手続補正８】
【補正対象書類名】明細書
【補正対象項目名】００５９
【補正方法】変更
【補正の内容】
【００５９】
さらに詳しくは、バリア開きバネ１１０は、例えば本実施の形態ではトーションバネであり、支持部１１０ａと固定腕１１０ｂと可動腕１１０ｃとにより構成されている。支持部１１０ａに、バリア駆動部材５０のバリア軸５０ａが挿入されており、支持部１１０ａは、バネ収容部５０ｉに戴置されている。
【手続補正９】
【補正対象書類名】明細書
【補正対象項目名】００６４
【補正方法】変更
【補正の内容】
【００６４】
詳しくは、バリア閉じバネ１２０は、支持部１２０ａと固定腕１２０ｂと可動腕１２０ｃとにより構成されている。支持部１２０ａに、内向フランジ部３１の閉じバネ軸３５が挿入されている。
【手続補正１０】
【補正対象書類名】明細書
【補正対象項目名】００６７
【補正方法】変更
【補正の内容】
【００６７】
詳しくは、一対の第１のバリア羽根７０は、部分円弧状を有する板状部材により形成されており、上記閉位置に移動した際、それぞれの第１のバリア羽根７０の光軸方向に平行な一方の面（以下、内周面と称す）７０ｇが互いに係合，密閉する形状に形成されている。
【手続補正１１】
【補正対象書類名】明細書
【補正対象項目名】００６８
【補正方法】変更
【補正の内容】
【００６８】
第１のバリア羽根７０の一端には、軸孔７０ａが形成されており、該軸孔７０ａに、バリア開きバネ１１０の支持部１１０ａに嵌入されているバリア駆動部材５０のバリア軸５０ａの先端側が挿入される。
【手続補正１２】
【補正対象書類名】明細書
【補正対象項目名】００７０
【補正方法】変更
【補正の内容】
【００７０】
さらに、上記開位置においては、第１のバリア羽根７０の光軸方向に平行な他方の面（以下、外周面と称す）７０ｈは、直進枠３０に形成された開き位置規制部である開き位置ストッパ３１ｄに当接している。
【手続補正１３】
【補正対象書類名】明細書
【補正対象項目名】００７２
【補正方法】変更
【補正の内容】
【００７２】
さらに、第１のバリア羽根７０の後述する第２のバリア羽根８０が配される側の面には、第１のバリア羽根７０の他端であって、第１のバリア羽根７０の外周面７０ｈ寄りに、後述する第２の羽根８０の先端を光軸方向で受けて、第２の羽根８０の光軸方向に対する傾きを防止するスラスト受け部７０ｅが形成されている。
【手続補正１４】
【補正対象書類名】明細書
【補正対象項目名】００７９
【補正方法】変更
【補正の内容】
【００７９】
第２のバリア羽根８０の一端には、軸孔８０ａが形成されており、該軸孔８０ａに、バリア開きバネ１１０の支持部１１０ａ，第１のバリア羽根７０の支持部７０ａに挿入されているバリア駆動部材５０のバリア軸５０ａの先端が挿入されている。
【手続補正１５】
【補正対象書類名】明細書
【補正対象項目名】００８０
【補正方法】変更
【補正の内容】
【００８０】
また、第２のバリア羽根８０は、光軸方向に平行であって、光軸側の内周面８０ｇと、光軸方向に平行であって、光軸とは反対側の外周面８０ｈとを有している。さらに、軸孔８０ａの近傍には長孔８０ｄが形成されている。この長孔８０ｄの長手方向は、上記内周面８０ｇと外周面８０ｈとを結ぶ方向に沿うように形成されている。尚、長孔８０ｄの外周面８０ｈ側は、第１の当接部８０ｄ１を構成しており、長孔８０ｄの内周面８０ｇ側は、第２の当接部８０ｄ２を構成している。
【手続補正１６】
【補正対象書類名】明細書
【補正対象項目名】００９２
【補正方法】変更
【補正の内容】
【００９２】
また、内向フランジ部３１の一対の閉じバネ軸３５が一対の支持部１２０ａに挿入されているバリア閉じバネ１２０の可動腕１２０ｃの腕部は、図３に示すように、一対の第１のバリア羽根７０の閉じバネかけ７０ｆを、第１のバリア羽根７０が上記閉位置となるよう付勢している。
【手続補正１７】
【補正対象書類名】明細書
【補正対象項目名】００９４
【補正方法】変更
【補正の内容】
【００９４】
また、第２のバリア羽根８０の第２の当接部８０ｄ２を、第１のバリア羽根７０の羽根駆動ピン７０ｄが上記閉方向に当接して付勢することにより、一対の第２のバリア羽根８０は、図３に示す上記閉位置に移動しており、１群レンズ，２群レンズ及び３群レンズの光路を遮断している。
【手続補正１８】
【補正対象書類名】明細書
【補正対象項目名】０１００
【補正方法】変更
【補正の内容】
【０１００】
また、直進枠３０は、回転枠２０の回動を受け、該直進枠３０の内周面に形成された５本の直進キー３０ｂが、フロートキー４０の、３本の直進溝４０ｃ及び２本の直進溝４０ｅを光軸方向前方にスライド移動して光軸方向前方に突出する。
【手続補正１９】
【補正対象書類名】明細書
【補正対象項目名】０１０６
【補正方法】変更
【補正の内容】
【０１０６】
尚、第１のバリア羽根７０が閉位置から開位置へ移動する際に、第１のバリア羽根７０のスラスト受け部７０ｂは、内向フランジ部３１のレール部３１ｂ上を摺動する。
【手続補正２０】
【補正対象書類名】明細書
【補正対象項目名】０１０７
【補正方法】変更
【補正の内容】
【０１０７】
また、第２のバリア羽根８０の第１の当接部８０ｄ１を、第１のバリア羽根７０の羽根駆動ピン７０ｄが上記開方向に当接して付勢することにより、一対の第２のバリア羽根８０は、図５に示す上記開位置に移動しており、１群レンズ，２群レンズ及び３群レンズの光路から退避する。
【手続補正２１】
【補正対象書類名】明細書
【補正対象項目名】０１０８
【補正方法】変更
【補正の内容】
【０１０８】
上記開位置においては、第２のバリア羽根８０の外周面８０ｈは、直進枠３０の内周に設けられた開き位置ストッパ３１ｄに当接している。
【手続補正２２】
【補正対象書類名】明細書
【補正対象項目名】０１１４
【補正方法】変更
【補正の内容】
【０１１４】
このことから、レンズ鏡筒１は、図４に示す撮影位置から図６に示す位置を経て、図１に示す沈胴位置に移動する。
詳しくは、レンズ鏡筒１を撮影位置から沈胴位置に移動させると、光軸方向前方に突出している直進枠３０は、回転枠２０とともに固定枠１０の内側に沈胴する。この際、図６に示すように、フロートキー４０の一対の押圧部４０ｄの押圧面４０ｄ１は、バリア駆動部材５０の軸部５０ｂのカム面５０ｃに当接し、光軸方向前方に押圧し始める。そして、カム面５０ｃが押圧部４０ｄの押圧面４０ｄ１に押圧されることで、バリア駆動部材５０ｃは、バリア開きバネ１１０の付勢力に抗して回動する。
【手続補正２３】
【補正対象書類名】明細書
【補正対象項目名】０１１５
【補正方法】変更
【補正の内容】
【０１１５】
このとき、内向フランジ部３１の一対の閉じバネ軸３５が一対の支持部１２０ａに挿入されているバリア閉じバネ１２０の可動腕１２０ｃの腕部は、一対の第１のバリア羽根７０の閉じバネかけ７０ｆを、第１のバリア羽根７０が上記閉位置となるよう付勢し始める。
【手続補正書】
【提出日】平成16年11月2日(2004.11.2)
【手続補正１】
【補正対象書類名】明細書
【補正対象項目名】００２７
【補正方法】変更
【補正の内容】
【００２７】
また、内向フランジ部３１の先端面３１Ａ上であって、開きバネかけ部３４の光軸Ｏから離間する方向には、光軸Ｏを中心として点対称に一対のビス孔３３が直進枠３０の内周面と当接して形成されている。
【手続補正２】
【補正対象書類名】明細書
【補正対象項目名】００２８
【補正方法】変更
【補正の内容】
【００２８】
さらに、内向フランジ部３１の先端面３１Ａ上であって、ビス孔３３の近傍には、光軸Ｏを中心として点対称に光軸方向前方に突出する一対の係合凸部３２の基端部が直進枠３０の内周面と当接して形成されている。尚、係合凸部３２の先端面は、直進枠３０の外周に形成された先端面３０Ａと光軸方向前方に同じ高さとなるよう形成されている。
【手続補正３】
【補正対象書類名】明細書
【補正対象項目名】００２９
【補正方法】変更
【補正の内容】
【００２９】
また、内向フランジ部３１の先端面３１Ａ上であって、内向フランジ部３１の開口３０Ｂの外周縁には、前方に突出する円周状の縁部３１ｓが形成されている。また、内向フランジ部３１の先端面３１Ａ上であって、縁部３１ｓと、直進枠３０の内周面との間には、縁部３１ｓと、直進枠３０の内周面とを連結する、縁部３１ｓから放射状に延出した４本のレール部３１ｂが形成されている。
【手続補正４】
【補正対象書類名】明細書
【補正対象項目名】００３０
【補正方法】変更
【補正の内容】
【００３０】
４本のレール部３１ｂは、部分円弧状を有していて内向フランジ部３１の先端面３１Ａから前方に突出しており、光軸Ｏを中心として１組が点対称となる位置に形成されている。尚、４本のレール部３１ｂと縁部３１ｓとは、一体に形成されており、光軸方向前方に対して同じ高さとなるよう形成されている。
【手続補正５】
【補正対象書類名】明細書
【補正対象項目名】００３１
【補正方法】変更
【補正の内容】
【００３１】
また、内向フランジ部３１の先端面３１Ａ上であって、バリア軸孔３７と、１本のレール部３１ｂと、縁部３１ｓと直進枠３０の内周面とによって囲まれた領域には、部分円弧状を有する一対の嵌入溝３１ｃが光軸Ｏを中心として点対称となる位置に形成されている。
【手続補正６】
【補正対象書類名】明細書
【補正対象項目名】００３２
【補正方法】変更
【補正の内容】
【００３２】
尚、それぞれ一対の、バリア軸孔３７，開きバネかけ部３４，ビス孔３３，係合凸部３２及び嵌入溝３１ｃは、光軸Ｏを中心として非対称な位置に形成された２本のレール部３１ｂと、縁部３１ｓと直進枠３０の内周面とによって囲まれた領域に形成されている。
【手続補正７】
【補正対象書類名】明細書
【補正対象項目名】０１１４
【補正方法】変更
【補正の内容】
【０１１４】
このことから、レンズ鏡筒１は、図４に示す撮影位置から図６に示す位置を経て、図１に示す沈胴位置に移動する。
詳しくは、レンズ鏡筒１を撮影位置から沈胴位置に移動させると、光軸方向前方に突出している直進枠３０は、回転枠２０とともに固定枠１０の内側に沈胴する。この際、図６に示すように、フロートキー４０の一対の押圧部４０ｄの押圧面４０ｄ１は、バリア駆動部材５０の軸部５０ｂのカム面５０ｃに当接し、光軸方向前方に押圧し始める。そして、カム面５０ｃが押圧部４０ｄの押圧面４０ｄ１に押圧されることで、バリア駆動部材５０は、バリア開きバネ１１０の付勢力に抗して回動する。
【手続補正８】
【補正対象書類名】明細書
【補正対象項目名】０１２１
【補正方法】変更
【補正の内容】
【０１２１】
この際、バリア駆動部材５０を駆動するための負荷は、上記押圧部４０ｄの押圧面４０ｄ１を介して、フロートキー４０を光軸周りに回動させる方向の力と、フロートキー４０を光軸方向に変位させる力として伝達される。
【手続補正９】
【補正対象書類名】明細書
【補正対象項目名】０１２３
【補正方法】変更
【補正の内容】
【０１２３】
つまり、バリア駆動部材５０を回動させるための負荷を、その負荷が加わる押圧部４０ｄの近傍に配されたバヨネット爪４０ｂ、直進溝４０ｅで受けるため、フロートキー４０の変形を防ぐことができる。
【手続補正１０】
【補正対象書類名】図面
【補正対象項目名】図２
【補正方法】変更
【補正の内容】
【図２】
2005173166.tif 000010